(57)【特許請求の範囲】
【請求項１】
アルミ等の軟質金属薄板によって逆有底円筒状に形成した蓋本体と、この蓋本体の頂面内側に嵌合させることができ、且つ、蓋本体と相似形状に形成した内蓋と、前記蓋本体の頂面部を含む上半部に冠着させることのできる合成樹脂製の外蓋との組み合わせによって構成される薬用瓶の蓋であって、前記蓋本体は、頂面に適宜大きさの透孔を穿設し、前記透孔はその外周に適宜の幅をもった溝を有し、その溝の両端部に蓋本体の周胴部に達するようにした切り裂き筋を刻設することによってこれに囲まれる内側を引き裂き用の環状体として形成し、また、蓋本体の内側に嵌合する内蓋は、蓋本体とこれより少許だけ小さい相似形状として形成し、頂面には前記蓋本体の頂面に穿設した透孔の周縁部（外径）よりも内側に透孔を穿設した薬用瓶の蓋において、
合成樹脂製の前記外蓋は、前記蓋本体の頂面を含む上半部を覆うことのできる大きさをした倒皿状に形成するとともに、この外蓋の内面中央部に突設された係止用の複数個の係止爪であって両側端部が傾斜した複数個の係止爪を前記内蓋の頂面に形成した透孔の周縁部に沿って強固に折り曲げ係止できるように形成し、且つ、この外蓋の内面に凹部または凸部を形成してこの外蓋の内面と蓋本体との間に、外蓋内に形成される空間が外気と連通する空気流路を形成できるように構成したことを特徴とする薬用瓶の蓋。
【請求項２】
アルミ等の軟質金属薄板によって逆有底円筒状に形成した蓋本体と、該蓋本体の頂面部を含む上半部に冠着させることのできる合成樹脂製の外蓋との組み合わせによって構成される薬用瓶の蓋であって、前記蓋本体は、頂面に適宜大きさの透孔を穿設し、前記透孔はその外周に適宜の幅をもった溝を有し、その溝の両端部に蓋本体の周胴部に達するようにした切り裂き筋を刻設することによってこれに囲まれる内側を引き裂き用の環状体として形成した薬用瓶の蓋において、
合成樹脂製の前記外蓋は、前記蓋本体の頂面を含む上半部を覆うことのできる大きさをした倒皿状に形成するとともに、この外蓋の内面中央部に突設された係止用の複数個の係止爪であって両側端部が傾斜した複数個の係止爪を前記蓋本体の頂面に形成した前記溝の外側の周縁部に沿って強固に折り曲げ係止できるように形成し、且つ、この外蓋の内面に凹部または凸部を形成してこの外蓋の内面と蓋本体との間に、外蓋内に形成される空間が外気と連通する空気流路を形成できるように構成したことを特徴とする薬用瓶の蓋。
【請求項３】
前記凹部は前記外蓋の頂面部の内面に形成され、前記凸部は前記外蓋の側壁部の内面に形成されたことを特徴とする請求項１または請求項２に記載の薬用瓶の蓋。
【請求項４】
請求項１ないし請求項３に記載された薬用瓶の蓋が装着されていることを特徴とする薬用瓶。
【発明の詳細な説明】
【０００１】
【発明の属する技術分野】
本発明は瓶の外装蓋、特にバイアル等の薬用瓶に適用することのできる蓋に関する。
【０００２】
【従来の技術】
薬用瓶の瓶口部に施したゴム栓に注射針を挿通させて少量の薬液を取り出したい場合には外蓋のみを除去し、また、大量の薬液を一度に取り出したい場合には外蓋を含む蓋本体全体を除去する構成とした薬用瓶の蓋が本願出願人によって既に提案されている。
【０００３】
以下、この薬用瓶の蓋について、図９ないし図１１を用いて説明する。
【０００４】
この薬用瓶の蓋は、図１１に示すように、アルミ等の軟質金属薄板によって逆有底円筒状に形成した蓋本体１と、前記蓋本体１の頂面内側に嵌合させることができ、且つ、蓋本体１と相似形状に形成した内蓋２と、前記蓋本体１の頂面部を含む上半部に冠着させることのできる合成樹脂製の外蓋３との組み合わせによって構成するものである。
【０００５】
蓋本体１は、適宜の高さをした周胴部１１の上面に頂面板１２を一体的に形成することによって逆有底円筒状に形成している。
【０００６】
１３は頂面板１２の中央部に穿設した透孔であり、図１０に示すように、この透孔１３を通して薬用瓶４の瓶口に嵌装したゴム栓５の上面が露出できるようになっている。
【０００７】
１４は頂面板１２に穿設した透孔１３の周囲に形成された適宜の幅をもった溝からなる引き裂き用のスリットであり、スリット１４の両端部が形成された頂面板１２から周胴部１１の上端部に達するように切り裂き筋を刻設することによってこれに囲まれる内側を引き起こし用の環状体１５となるように構成している。
【０００８】
内蓋２は、周胴部２１の上端に頂面板２２を連続させることによって逆有底円筒状に形成するものであり、蓋本体１と相似形状をなし、これに嵌合することができる大きさとして形成するものである。この内蓋２は、本例では蓋本体１と同質材のアルミ等の軟質金属薄板によって形成されているが、この内蓋２は合成樹脂によって形成してもよい。
【０００９】
前記した周胴部２１の高さは、図１０に示すように、ゴム栓５のフランジ部の高さよりも低く形成してあり、使用時において前記したゴム栓５のフランジ部の周胴に密着できるようにしてある。
【００１０】
２３は内蓋２の頂面板２２に穿設した透孔であり、この透孔２３の大きさは、蓋本体１の頂面板に穿設した透孔１３よりも小さい寸法となっている。これによって、外蓋３を剥離除去する際に内蓋２から外れる係止突起３９を蓋本体１の透孔１３を通して上面に引き上げることができる（図１０参照）。
【００１１】
蓋本体１の上面に冠着する外蓋３は、適宜の硬度を有する合成樹脂を用いて形成するものであり周胴部が蓋本体１の周胴部１１に少許だけかぶさることができる浅い倒皿状となるように形成している。
【００１２】
外蓋３の裏面中央部には、図１０に示すように、内蓋２に穿設した透孔２３の円周に当接しながら折り曲げ係止することのできる係止突起３９が突設されており、透孔２３に嵌合したのち、内蓋２の内側から折り曲げ加圧をすることにより、或いは同じく内側から加熱をすることにより押し広げられながら倒伏させられるように折り曲げ自在に突設されている。
【００１３】
上記のように構成した薬用瓶の蓋は以下のようにして使用する。
【００１４】
（１）蓋体の組み立て
蓋体を組み立てる場合には先ず蓋本体１の内側に内蓋２を嵌合させる。
【００１５】
次いで蓋本体１の外側から外蓋３を冠着させ、外蓋３の内側面に突設している係止突起３９を蓋本体１の透孔１３及び内蓋２の頂面板２２に穿設している透孔２３の双方に貫通するように挿通させる。
【００１６】
内蓋２の透孔２３に挿通させた係止突起３９は内蓋２の内側からこれを外側方向に押し広げるように加圧し（場合によっては加熱しながら加圧押し広げる）て透孔に触れている部分から先端部分を横に倒し内蓋２の裏面に密着させることによって蓋本体１を内側に挟んだ状態で組み立てることができる（この場合蓋本体１は外蓋３と内蓋２とによって挟持された状態となっているだけであり、蓋本体の裏面から突設した係止突起３９によって係止されることはない。）。
【００１７】
（２）蓋体の瓶４に対する装着
上記手段によって組み立てられた蓋は、蓋本体１の周胴部１１部分を薬用瓶４の瓶口部に冠着させる。
【００１８】
次いで、周胴部１１の下端部を瓶蓋の巻締め機に当接させれば、周胴下端部は瓶口方向に加圧折り曲げられて図９および図１０に示すように完全に巻締め固定をすることができる（なお、この方法は公知のものであり、格別新規なものではない）。
【００１９】
以上のようにして瓶４に蓋体を装着した後、通常は高温高圧の水蒸気によって滅菌処理が施される。
【００２０】
【発明が解決しようとする課題】
以上説明した薬用瓶の蓋においては、滅菌処理の過程で高温高圧の水蒸気が蓋本体１と外蓋３との間から浸入し、その浸入した水蒸気が常温になる過程で凝縮して水滴となり、外蓋３を剥離除去した場合に露出するゴム栓上に残存していることがあった。
【００２１】
また、外蓋３を剥離除去する際に係止突起３９の形状によっては、その係止突起３９が蓋本体１の環状体１５に接触してこの環状体１５を引き起こしてしまう場合があった。
【００２２】
本発明の目的は、外蓋３を剥離除去する際に蓋本体の環状体が引き起こされる虞れがなく、また、滅菌処理を施した場合にも外蓋内に水蒸気が残存することがない薬用瓶の蓋を提供することにある。
【００２３】
【課題を解決するための手段】
以上の目的を達成するために、請求項１の発明は、アルミ等の軟質金属薄板によって逆有底円筒状に形成した蓋本体と、この蓋本体の頂面内側に嵌合させることができ、且つ、蓋本体と相似形状に形成した内蓋と、前記蓋本体の頂面部を含む上半部に冠着させることのできる合成樹脂製の外蓋との組み合わせによって構成される薬用瓶の蓋であって、前記蓋本体は、頂面に適宜大きさの透孔を穿設し、前記透孔はその外周に適宜の幅をもった溝を有し、その溝の両端部に蓋本体の周胴部に達するようにした切り裂き筋を刻設することによってこれに囲まれる内側を引き裂き用の環状体として形成し、また、蓋本体の内側に嵌合する内蓋は、蓋本体とこれより少許だけ小さい相似形状として形成し、頂面には前記蓋本体の頂面に穿設した透孔の周縁部（外径）よりも内側に透孔を穿設した薬用瓶の蓋において、合成樹脂製の前記外蓋は、前記蓋本体の頂面を含む上半部を覆うことのできる大きさをした倒皿状に形成するとともに、この外蓋の内面中央部に突設された係止用の複数個の係止爪であって両側端部が傾斜した複数個の係止爪を前記内蓋の頂面に形成した透孔の周縁部に沿って強固に折り曲げ係止できるように形成し、且つ、この外蓋の内面に凹部または凸部を形成してこの外蓋の内面と蓋本体との間に、外蓋内に形成される空間が外気と連通する空気流路を形成できるように構成したことを特徴とするものである。
【００２４】
また、以上の目的を達成するために、請求項２に記載の発明は、アルミ等の軟質金属薄板によって逆有底円筒状に形成した蓋本体と、該蓋本体の頂面部を含む上半部に冠着させることのできる合成樹脂製の外蓋との組み合わせによって構成される薬用瓶の蓋であって、前記蓋本体は、頂面に適宜大きさの透孔を穿設し、前記透孔はその外周に適宜の幅をもった溝を有し、その溝の両端部に蓋本体の周胴部に達するようにした切り裂き筋を刻設することによってこれに囲まれる内側を引き裂き用の環状体として形成した薬用瓶の蓋において、合成樹脂製の前記外蓋は、前記蓋本体の頂面を含む上半部を覆うことのできる大きさをした倒皿状に形成するとともに、この外蓋の内面中央部に突設された係止用の複数個の係止爪であって両側端部が傾斜した複数個の係止爪を前記蓋本体の頂面に形成した前記溝の外側の周縁部に沿って強固に折り曲げ係止できるように形成し、且つ、この外蓋の内面に凹部または凸部を形成してこの外蓋の内面と蓋本体との間に、外蓋内に形成される空間が外気と連通する空気流路を形成できるように構成したことを特徴とするものである。
【００２５】
【発明の実施の形態】
以下、図面を用いて本発明の実施形態について説明する。
【００２６】
（実施形態１）
図１ないし図５は本発明の実施形態１を示したものであり、図９ないし図１１と同一符号のものは同一のものを示している。
【００２７】
図２において、３１と３２とは外蓋３の頂面部の内面に形成された凹部であり、凹部３１での外蓋３の厚みは、凹部３２での外蓋３の厚みより厚くなるように凹部３１と凹部３２とは形成されている。これは、滅菌処理の際、凹部３１とゴム栓とによって形成される空間内にある水蒸気を凹部３１の縁に留らせずに全て外気に放出させるためである。
【００２８】
３４は外蓋３の側壁部の内面に形成された凸部であり、図１に示すように、この凸部３４が蓋本体１の周胴部１１に当接するため、この凸部３４以外の部分と周胴部１１との間には隙間が形成される。
【００２９】
３３は内蓋２を係止する係止爪であり、図３および図４に示すように、この係止爪３３の形状はその両側端部が傾斜している形状となっている。そして、この係止爪３３の上部は肉薄の折曲げ部３３ａ，３３ｂとなっている。この折曲げ部３３ａ，３３ｂを外側方向に押し広げることによって蓋本体１を挟んだ状態で外蓋３は内蓋２を係止する。
【００３０】
以上のように構成されたこの薬用瓶の蓋においては、図１に示すように、凸部３４によって蓋本体１の周胴部１１と外蓋３との間に隙間が形成され、また、凹部３１，３２によって蓋本体１の頂面と外蓋３との間に隙間が形成されるので、薬用瓶に装着された状態でゴム栓と外蓋３によって形成される空間が外気と連通している状態となっているために、滅菌処理に使われる水蒸気がこの空間に残ることはない。
【００３１】
また、係止爪３３の両側端部が傾斜しているため、外蓋３を剥離除去する際にこの係止爪３３が蓋本体１の環状体１５に引掛かりこれを引き起こすことがない。さらに係止爪３３の両側端部が傾斜しているために、外蓋３を従来に比して容易に剥離除去することができる。
【００３２】
なお、以上説明した実施形態１に係る蓋体は従来の蓋体の組立工程と同様の組立工程によって組み立てることができ、この組み立てられた蓋体の薬用瓶への装着も従来と同様に行うことができる。
【００３３】
（実施形態２）
次に本発明の実施形態２について説明する。
【００３４】
図６は、本発明の実施形態２に係る蓋体の構成を示した図であり、蓋本体１から外蓋３を分離した状態を裏面側から捉えた展開斜視図である。図７は、図６で示した状態を表面側から捉えた展開斜視図であり、図８は、この蓋体を薬用瓶４に装着した状態を示す断面図である。図６〜図８において図１〜図５と同一符号のものは同一のものを示している。
【００３５】
この実施形態２に係る蓋体と先に説明した実施形態１に係る蓋体との差異は、実施形態２に係る蓋体においては、内蓋を設けずに外蓋３を折曲げ部３３ａおよび３３ｂを用いて直接蓋本体１に装着する構成としてあることである。
【００３６】
このような構成にすることにすれば、内蓋を省くことができるために、蓋体を構成する部品の数を少なくすることができる。ただし、このような構成の蓋体を組み立てるに際しては、その組立工程に、蓋本体１の頂面に形成されている幅の狭いスリット１４に外蓋３に形成されているすべての折曲げ部３３ａおよび３３ｂを貫通させるという高精度な加工技術を要する工程を含む必要がある。
【００３７】
以上説明した実施形態２に係る蓋体によれば、図８に示したように蓋本体１に外蓋３が装着された状態においては、折曲げ部３３ａ，３３ｂが蓋本体１のスリット１４の外側の周縁部に添って折り曲げられた状態となっているために、外蓋３を蓋本体１から剥離除去するときに、この折曲げ部３３ａ，３３ｂが蓋本体１の環状体１５に引掛かり、これを引き起こすことがない。さらに係止爪３３の両側端部が傾斜しているために、外蓋３を従来に比して容易に剥離除去することができる。
【００３８】
また、外蓋３の内面に設けられている凸部３４および凹部３１，３２によって形成される蓋本体１と外蓋３との間の隙間によって、薬用瓶４に装着されているゴム栓５と外蓋３とによって形成される空間が外気と連通している状態となっているために、滅菌処理に使われる水蒸気がこの空間に残ることはない。
【００３９】
【発明の効果】
以上説明した本発明によれば、蓋本体の環状体を引き起こすことなく外蓋を容易に剥離除去することができ、また、滅菌処理に使用される水蒸気が外蓋内に残留することを防止することができる。
【図面の簡単な説明】
【図１】本発明の実施形態１に係る薬用瓶の蓋体を裏面側から見た底面図である。
【図２】図１に示した外蓋３の底面図である。
【図３】図１に示した外蓋３の断面図である。
【図４】図３に示した外蓋３の要部の拡大図である。
【図５】図１に示した蓋体から外蓋３を分離した状態を裏面側から捉えた展開斜視図である。
【図６】本発明の実施形態２に係る薬用瓶の蓋体から外蓋３を分離した状態を裏面側から捉えた展開斜視図である。
【図７】図６に示した状態を表面側から捉えた展開斜視図である。
【図８】図６および図７に示した蓋体を薬用瓶に装着した状態を示す断面図である。
【図９】従来の蓋体を薬用瓶に装着した状態を示す断面図である。
【図１０】図９における要部の拡大断面図である。
【図１１】従来の蓋体を構成する各部材を分離した状態で示す展開斜視図である。
【符号の説明】
１  蓋本体
２  内蓋
３  外蓋
４  薬用瓶
５  ゴム栓
11  周胴部
12  頂面坂
13  透孔
14  引き裂き用の溝（スリット）
15  引き起こし用の環状体
21  周胴部
22  頂面坂
23  透孔
31，32  凹部
33  係止爪
33ａ，33ｂ  折曲げ部
34  凸部
39  係止突起
【図１】
0003817704.tif 000002
【図２】
0003817704.tif 000003
【図３】
0003817704.tif 000004
【図４】
0003817704.tif 000005
【図５】
0003817704.tif 000006
【図６】
0003817704.tif 000007
【図７】
0003817704.tif 000008
【図８】
0003817704.tif 000009
【図９】
0003817704.tif 000010
【図１０】
0003817704.tif 000011
【図１１】
0003817704.tif 000012